(57)【要約】【課題】家具の主要部を占める扉において、部屋の模様替え、または季節や気分による模様替えにより、家具全体を入れ替えることなく、扉の意匠を容易に切り替えできることを提供すること。【解決手段】キャビネットの開口部に開閉機構を介して開閉自在に設置される扉６において、前記開閉機構と結合した受部７と、化粧面を有する本体部８と、把手機能を有する木口部９を備え、前記受部７と本体部８、本体部８と木口部９は、各々側端部で着脱自在に係合した扉とすることにより、本体部８の入替えが容易にでき、扉の意匠の変更が容易に、かつ何度でも行なうことができる。【選択図】図２
2005113443.tif 000002
【特許請求の範囲】
【請求項１】
キャビネットの開口部に開閉機構を介して開閉自在に設置される扉において、前記開閉機構と結合した受部と、化粧面を有する本体部と、把手機能を有する木口部を備え、前記受部と本体部、本体部と木口部は、各々側端部で着脱自在に係合した扉。
【請求項２】
前記、本体部の表面及び裏面は共に化粧面を備え、表裏反転して使用可能とした請求項１に記載の扉。
【請求項３】
前記、本体部の表面と裏面は、化粧の仕様が異なる請求項２に記載の扉。
【請求項４】
前記、受部と木口部は、本体部の左右どちらの端部にも係合可能な請求項１〜３のいずれか１項に記載の扉。
【発明の詳細な説明】
【技術分野】
【０００１】
本発明は家具等に使用し、化粧面を容易に切り替えることができる扉に関するものである。
【背景技術】
【０００２】
従来、この種の扉は扉表面材を差し替えることにより、化粧の切り替えを行なっている（例えば、特許文献１参照）。
【０００３】
図４は、特許文献１に記載された従来の扉を示すものである。図４に示すように、基体１と、板材２と、バネ体３と、溝部４とからなり板材２を差し替えることにより扉の意匠の変更可能に構成されている。
【特許文献１】特開平９−１５１６７６号公報
【発明の開示】
【発明が解決しようとする課題】
【０００４】
しかしながら、前記従来の構成では、扉表面の中央付近であるバネ体内側の板材部しか交換できないので、交換できない枠である基体部との色、柄等のマッチング等に制約があるという課題を有していた。
【０００５】
本発明は、前記従来の課題を解決するもので、部屋の模様替えや、季節、気分における家具用扉の色、柄等の交換において扉本体部を着脱自在にすることで、化粧面を自由に取り替えたり、表裏反転して意匠の変更が容易にできる扉を提供することを目的とする。
【課題を解決するための手段】
【０００６】
前記従来の課題を解決するために、本発明の扉は、キャビネットの開口部に開閉機構を介して開閉自在にとなり、前記開閉機構と結合した受部と、化粧面を有する本体部と、把手機能を有する木口部を備え、前記受部と本体部、本体部と木口部は各々側端部で着脱自在に係合できる構成としたものである。
【０００７】
これによって、家具全体を入れ替えることなく扉の意匠性だけを部屋の模様替え、または季節や気分による模様替えにおいて、全体または部分的にも切り替え可能となる。
【発明の効果】
【０００８】
本発明の扉は、家具全体、扉全体を入れ替えることなく部屋の模様替え、または季節や気分に対応して、扉の意匠を容易に切り替えることができ、また、傷や汚れ等が発生した場合でも、即座に入れ替え対応することができる。
【発明を実施するための最良の形態】
【０００９】
第１の発明はキャビネットの開口部に開閉機構を介して開閉自在に設置される扉において、前記開閉機構と結合した受部と、化粧面を有する本体部と、把手機能を有する木口部を備え、前記受部と本体部、本体部と木口部は、各々側端部で着脱自在に係合することにより、扉を開閉機構から取り外さなくても本体部を容易に取り替えることが可能となり、部屋の雰囲気や季節や気分にあわせて、扉の意匠を容易に切り替えることができる。
【００１０】
第２の発明は、特に、第１の発明の本体部を表面及び裏面を共に化粧面を備え、表裏反転して使用可能とすることにより、本体部は両面使用可能となるため、表面が汚れたり傷ついた場合反転して使用することができる。
【００１１】
第３の発明は、特に、第２の発明の本体部の表面と裏面は、化粧の仕様が異なるようにすることにより、新たな部材を用意することなく、本体部を反転することにより、扉の意匠を切り替えることができる。
【００１２】
第４の発明は、特に、第１〜３のいずれか１つの発明の受部と木口部を、本体部の左右どちらの端部にも係合可能とすることにより、同じ部材の組合せ方で使い勝手の左右を入れ換えることが可能となるため、少ない種類の部材で扉のバリエーションを増やすことができる。
【００１３】
以下、本発明の実施の形態について、図面を参照しながら説明する。なお、この実施の形態によって本発明が限定されるものではない。
【００１４】
（実施の形態１）
図１は本発明の第１の実施の形態における扉をキャビネットに取り付けた状態を示すものであり、図２は扉を分解した状態を示すものである。
【００１５】
図１において、キャビネット５の開口面に開閉機構１０を介して開閉自在に扉６を取り付けてある。
【００１６】
図２、図３に示すように、扉６は受部７と、本体部８と、木口部９が着脱自在に組み合わせる構成となっている。
【００１７】
受部７の裏面には開閉機構１０が取り付けられ、側端部には複数の係合金具１１が配設されており、係合金具１１の中央部には断面形状略Ｔ字状の係合片１１ａが一体に形成されている。
【００１８】
本体部８の表面と裏面は異なった色柄の化粧材で仕上げられており、両側端部には凹状の係合穴８ａが複数個配設され、係合穴８ａの口部には受金具１２が取り付けられている。受け金具１２は平板状の金属の中央部に略長方形の係合穴１２を備え前記係合片１１ａが挿入可能な寸法となっており、また前記係合穴８ａは前記係合穴１２より十分に大きい大きさである。
【００１９】
木口部９は凹状の把手機能９ａを有しており、側端部には受部７と同様に複数の係合金具１１が配設されており、係合金具１１の中央部には断面形状略Ｔ字状の係合片１１ａが一体に形成されている。
【００２０】
以上のように構成された扉について、以下その動作、作用を説明する。
【００２１】
まず、受部７並びに木口部９の側端部に配設された複数の係合金具１１は中央部に断面形状略Ｔ字状の係合片１１ａが一体に形成されているため、本体部８の両側部に設けられた同じ位置の受金具１２の係合穴１２ａと挿入した後、本体部８を下側に移動することで嵌合固定され一枚の扉６となる。逆に、本体部８を上側に移動し受金具１２の係合穴１２ａから、受部７並びに木口部９の側端部に配設された係合金具１１の断面形状略Ｔ字状の係合片１１ａを外すことにより、本体部８を容易に取り替えることが可能となる。
【００２２】
また、本体部８の表と裏は異なった色柄となっているので、上記の方法で本体部８を一旦取り外し、表裏反転して再度組み立てることにより、新たな部材を追加することなく扉の意匠を簡単に変更することができ、季節や気分に合わせて意匠の切り替えを実施することができる。
【産業上の利用可能性】
【００２３】
以上のように、本発明にかかる扉は、少ない種類の部材で扉の意匠を容易に変更することが可能となるので、家具等の什器をはじめ、建築の内装、外装の扉等の用途にも適用できる。
【図面の簡単な説明】
【００２４】
【図１】本発明の実施の形態１における扉の正面斜視図
【図２】本発明の実施の形態１における扉の分解図
【図３】本発明の実施の形態１における扉の断面図
【図４】（ａ）従来の扉の正面図（ｂ）従来の扉の断面図
【符号の説明】
【００２５】
５  キャビネット
６  扉
７  受部
８  本体部
９  木口部
９ａ  把手機能
１０  開閉機構
【図１】
2005113443.tif 000003
【図２】
2005113443.tif 000004
【図３】
2005113443.tif 000005
【図４】
2005113443.tif 000006